(57)【要約】折り畳み式ファンブレード（１２）付のシーリングファン一体型照明器具（ファン／照明）（１）を提供する。ファン照明（１）は、電気モータ（６）によって回転するように構成したブレード支持部（１３）を有し、ブレード（１２）は、ブレード支持部（１３）に固定され、各ブレード（１２）のルート端は、ブレード支持部（１３）に固定されたブレード旋回軸（１４）を中心に折り畳んだ位置と作動位置との間で旋回可能である。本発明の一の態様では、ブレードの動作を同期して動かす改善したメカニズムが提供されている。これは、ブレード支持部に取り付けられ、ブレード旋回軸（１７）の周囲を回転する遊星歯車（１７）と噛合するように構成されている太陽歯車（１６）を用いている。加えて、ブレード（１２、３３、６０）と、小型の折り畳み式ブレード（１２、３３、６０）をバランスさせ、空気の移動効率がよい、ブレード装着構成に改良が為されている。【選択図】図１
2009500809.tif 000002
【特許請求の範囲】
【請求項１】
折り畳み式ファンブレード付シーリングファン一体型照明器具において、当該シーリングファン一体型照明器具が：
電気モータによって回転するように構成したブレード支持手段と；
前記ブレード支持手段に固定された複数のファンブレードであって、各ブレードのルート端が前記ブレード支持手段に固定されたブレード旋回軸を中心として折り畳まれた位置と動作位置との間を旋回可能である複数のファンブレードと；
各ブレードと関連して、そのブレードと共に回転するように構成した遊星歯車と；
電気モータと同軸上に、及び前記ブレード支持手段に対して回転可能に前記ブレード支持手段に取り付けられた太陽歯車と；
を具え、
各遊星歯車が太陽歯車と噛合して、前記ブレードが互いに同期して、各旋回軸を中心に旋回可能であるように構成されていることを特徴とするシーリングファン一体型照明器具。
【請求項２】
請求項１に記載のシーリングファン一体型照明器具が、前記ファンブレードを折り畳んだ位置にバイアスするように構成した弾性手段を更に具え、前記ファンブレードが、前記電気モータが作動すると、遠心力によって広がるように構成されていることを特徴とするシーリングファン一体型照明器具。
【請求項３】
請求項２に記載のシーリングファン一体型照明器具において、折り畳んだ位置で、前記ファンブレードが、少なくとも部分的に前記ブレード支持手段上に位置し、前記太陽歯車及び遊星歯車が前記ブレード支持手段より下に位置することを特徴とするシーリングファン一体型照明器具。
【請求項４】
請求項１乃至３のいずれか１項に記載のシーリングファン一体型照明器具において、前記ブレード支持手段が前記電気モータの回転可能なケーシングに固定されていることを特徴とするシーリングファン一体型照明器具。
【請求項５】
請求項１乃至４のいずれか１項に記載のシーリングファン一体型照明器具が、前記電気モータケーシングを通る非回転手段によって支持される光発生手段を更に具えることを特徴とするシーリングファン一体型照明器具。
【請求項６】
請求項５に記載のシーリングファン一体型照明器具において、前記照明器具手段が、少なくとも一部分が半透明である筐体内に取り付けられ、前記筐体が前記電気モータケーシングを通る前記非回転手段によって支持されていることを特徴とするシーリングファン一体型照明器具。
【請求項７】
請求項６に記載のシーリングファン一体型照明器具において、折り畳んだ位置で、上方から見たときに、前記ファンブレードが、実質的に前記筐体の周辺境界内に位置していることを特徴とするシーリングファン一体型照明器具。
【請求項８】
請求項１乃至７のいずれか１項に記載のシーリングファン一体型照明器具において、前記ファンブレードが、その長さに沿って上反りであることを特徴とするシーリングファン一体型照明器具。
【請求項９】
請求項１乃至８のいずれか１項に記載のシーリングファン一体型照明器具において、作動位置にあるときに、前記ファンブレードが水平に対して様々な入射角を有するように形成されることを特徴とするシーリングファン一体型照明器具。
【請求項１０】
請求項１乃至９のいずれか１項に記載のシーリングファン一体型照明器具において、作動位置にある前記ブレードの先端が、前記シーリングファン一体型照明器具が前記ブレードのルート端から吊られている天井近くの平面内で回転することを特徴とするシーリングファン一体型照明器具。
【請求項１１】
請求項１乃至１０のいずれか１項に記載のシーリングファン一体型照明器具において、前記ブレードの旋回軸が、前記電気モータの回転軸に平行な向き以外を向いていることを特徴とするシーリングファン一体型照明器具。
【請求項１２】
請求項１１に記載のシーリングファン一体型照明器具において、前記旋回軸が、前記ブレードのすぐ下よりも前記ブレードのすぐ上において前記モータ回転軸に近いことを特徴とするシーリングファン一体型照明器具。
【請求項１３】
折り畳み式ファンブレード付シーリングファン一体型照明器具において、当該シーリングファン一体型照明器具が：
電気モータによって回転するように構成されたブレード支持手段と；
前記ブレード支持手段に固定された複数のファンブレードであって、各ブレードのルート端が、前記ブレード支持手段に固定されたブレード旋回軸を中心として、折り畳んだ位置と作動位置との間で旋回可能である複数のファンブレードと；
を具え、
作動位置にある前記ブレードの先端が、前記シーリングファン一体型照明器具から前記ブレードのルート端よりも天井に近い平面で回転することを特徴とするシーリングファン一体型照明器具。
【請求項１４】
請求項１３に記載のシーリングファン一体型照明器具が：
各ブレードと関連して、そのブレードと共に回転するように構成した遊星歯車と；
前記電気モータの回転軸と同軸に、また、前記ブレード支持手段に対して回転可能な前記ブレード支持手段に取り付けられた太陽歯車と；
を具え、
各遊星歯車が太陽歯車に噛合するように構成され、前記ブレードが互いに同期して、各旋回軸を中心に旋回可能であることを特徴とするシーリングファン一体型照明器具。
【請求項１５】
請求項１３又は１４に記載のシーリングファン一体型照明器具において、前記ブレードの旋回軸が、前記電気モータの回転軸に平行な向き以外を向いていることを特徴とするシーリングファン一体型照明器具。
【請求項１６】
折り畳み式ファンブレード付シーリングファン一体型照明器具において、当該シーリングファン一体型照明器具が：
電気モータによって回転するように構成されたブレード支持手段と；
前記ブレード支持手段に固定された複数のファンブレードであって、各ブレードのルート端が、前記ブレード支持手段で固定されたブレード旋回軸を中心に、折り畳んだ位置と作動位置との間で旋回可能である複数のファンブレードと；
を具え、
上方から見たときに、ルート端と先端との間で、各ブレードが、前記ルート端から離れて前記ブレードに沿って距離が遠くなるにつれて幅が広くなり、次いで、先端に幅が狭くなるブレードを有することを特徴とするシーリングファン一体型照明器具。
【発明の詳細な説明】
【技術分野】
【０００１】
技術分野
本明細書に記載されている発明は、ブレードがファンを使用していないときは小さく折り畳むことができ、ファンが始動すると外側に動くブレード付シーリングファン一体型照明器具に関する。
【０００２】
背景技術
シーリングファンは、長い間、ビルの室内で空気を循環させる安価な方法として認識され、使用されてきた。シーリングファンは、例えば、冷凍蒸発空調ユニット等の代替物と比較して、使用や取付が簡単であり、安全であり、安価である。シーリングファンは、多くの場合、シーリングファンが発生する空気の動きによって得られる冷却効果で皮膚の汗を蒸発させることができるので、空調に対して驚くほど効果的な代替物を提供することができる。
【０００３】
シーリングファンを照明手段と組み合わせることは知られており、第１に、光源を取り付けた天井を提供することが一般的に必要であり、第２に、単一の電源を提供してファン一体型照明器具を作動させることが便利である。
【０００４】
また、折り畳み式又は格納式ブレード構造の形式のシーリングファンを提供することが知られている。こうすることによって、作動していない場合のファンの外観が改善され、ブレード上に埃が堆積せず、ブレードのクリーニングが容易になる。
【０００５】
また、格納式ブレード付のシーリングファン一体型照明器具の例はいくつかある。Ｌｅ  Ｖｅｌｌｅは、３つのバージョンについて述べている。米国特許第１４４５４０２号には、ファンのスイッチが入ると、遠心力の下でブレードが外側に動き、ファンのスイッチを切るとバネによってブレードが引き込まれる照明器具とシーリングファンが開示されている。米国特許第１４５８３４８号及び第２０７９９４２号は、改良バージョンを開示しており、これは（特許第１４４５４０２号とは異なり）、ブレードの内側及び外側への動きが同期している。同期したブレードの動作の同期は、ファンの回転部分の十分なバランスを保持するために重要である。バランスの悪いシーリングファンは、天井への取付部から外れやすく（潜在的に危険が存在する）、正しくバランスの取れたファンよりも雑音があり、一般的に見苦しい。
【０００６】
本明細書にある特許の引用は、本明細書中の何かが当該技術分野の一般的な知識の一部である、又はこの一部と考えられることを意図するものではない。
【０００７】
格納式ブレード付シーリングファン一体型照明器具は、照明手段とファンの組み合わせと格納式ブレードの双方の利点を提供しているにも関わらず普及しなかった。
【０００８】
米国特許第１４５８３４８号でＬｅ  Ｖｅｌｌｅによって記載された格納メカニズムは、全てのブレードがよく同期するように設定することが困難であると考えられ、また、例えば、ワイアを用いて伸長したブレードを接続する場合、この状態を保つことが困難である。
【０００９】
米国特許第２０７９９４２号に記載されている別のメカニズムは、各ブレードから回転式「同期リング」に広がるリンクを有し、原理的には単純である。しかしながら、パーツ点数が極めて多く、組み立てが労働集約的であり、ある程度の熟練を要すると思われる。更に、これらのパーツは、現在の製品材料と方法を安価にするにはあまり役に立たない。更に、リンクと、ブレードと同期リング内にリンクと収容するホールとの間のクリアランスの効果によって、ブレードを部分的に広げたときに、ある程度正確にブレードを同期させることが困難であるように思われる。実際、シーリングファンは動作速度に達して非常に緩やかに停止するので、有意なバランスが取れない時間を生じ得ると思われる。
【００１０】
米国特許第２０７９９４２号の構成の更に不利な点は、メカニズムの形状のために、同期リングを含む同期メカニズムを実質的に、ファンモータの上に配置する必要があるため、現在のケーシング設計のファンモータを用いることが所望される場合、特に、コンパクトな設計にすることが困難なことである。
【００１１】
本発明の目的は、少なくとも上記の不利益を軽減することである。更なる目的は、空気移動性能を含めて性能を強化したシーリングファン一体型照明器具を提供することである。
【００１２】
本発明の概要
本発明によると、第１の態様にて、折り畳み式ファンブレード付シーリングファン一体型照明器具が提供されており、これは：
電気モータによって回転するように構成したブレード支持手段と；
前記ブレード支持手段に固定された複数のファンブレードであって、各ブレードのルート端が折り畳んだ位置と動作位置との間で前記ブレード支持手段に固定されたブレード旋回軸を中心に旋回可能である複数のファンブレードと；
各ブレードと連結しており、そのブレードと共に回転するようにした遊星歯車と；
電気モータと同軸に前記ブレード支持手段に取り付けられ、前記ブレード支持手段に対して回転可能な太陽歯車と；
を具え、
各遊星歯車が前記遊星歯車と噛合して、前記ブレードが互いに同期して、当該ブレードの各旋回軸を中心に旋回可能である。
【００１３】
好ましくは、シーリングファン一体型照明器具は、ファンブレードを折り畳んだ位置にバイアスするように構成した弾性手段を更に具えており、このファンブレードは、電気モータが作動すると、遠心力によって展開するように構成されている。
【００１４】
更に好ましくは、ブレードを折り畳んだ位置では、ファンブレードが、少なくとも部分的にブレード支持手段上に位置し、前記太陽歯車及び遊星歯車が、前記ブレード支持手段の下に位置する。これは、歯車をうまく隠し、歯車上に埃が堆積しないようにする。
【００１５】
ブレード支持手段は、電気モータの回転可能なケーシングに固定してもよい。この構成は、モータが回転ケーシングを有する場合に便利である。
【００１６】
シーリングファン一体型照明器具は、光発生手段を更に具えており、これは好ましくは、電気モータケーシングを通る非回転手段によって支持されている。
【００１７】
好ましくは、前記照明器具手段は、少なくとも一部が半透明の筐体内に取り付けられている。この筐体は、電気モータケーシングを通る非回転手段によって支持されている。
【００１８】
折り畳んだ位置にあるときに、ブレードの視覚インパクトを最小にするために、折り畳んだ位置で上方から見たときにファンブレードが前記筐体の周辺部に実質的に配置されている。
【００１９】
ファンブレードは、その長さに沿って反っている。
【００２０】
また、ファンブレードは、作動位置にある場合に、水平に対して様々な入射角を有するように形成されている。好ましくは、この入射角は、ブレードのルート端よりもブレードの先端でより小さい。
【００２１】
一の実施例では、作動位置にあるときのブレードの先端は、ブレードのルート端よりシーリングファン一体型照明器具が吊されている天井により近い平面で回転する。即ち、ブレードが広がった位置にある場合には、ブレードが本明細書で規定されている意味での「上反角」を有する。
【００２２】
ブレードの旋回軸は、電気モータの回転軸に対して平行な方向以外に向けられている。しかしながら、これは、電気モータの回転軸に平行な旋回軸を除外するものではない。
【００２３】
旋回軸は、ブレードの直下ではなく、ブレードのすぐ上でモータの回転軸により近い。
【００２４】
本発明の別の態様では、折り畳み式ファンブレード付シーリングファン一体型照明器具は：
電気モータによって回転するように構成したブレード支持手段と；
ブレード支持手段を固定した複数のファンブレードであって、各ブレードのルート端が、折り畳んだ位置と作動位置との間で前記ブレード支持手段に固定されたブレード旋回軸を中心に旋回可能である複数のファンブレードと；
を具え、
作動位置にある前記ブレードの先端が、シーリングファン一体型照明器具からブレードのルート端よりもシーリングファン一体型照明器具が吊されている天井により近い平面内で回転する。
【００２５】
本態様では、シーリングファン一体型照明器具は：
各ブレードと連結しており、そのブレードと共に回転するように構成した遊星歯車と；
前記電気モータの回転軸と同軸に、前記ブレード支持手段に対して回転可能な前記ブレード支持手段に取り付けられた太陽歯車と；
を更に具え、
各遊星歯車が太陽歯車に噛合するように構成されて、前記ブレードが互いに同期して、各旋回軸を中心に旋回可能であるシーリングファン一体型照明器具が提供される。
【００２６】
本発明のこの態様では、ブレードの旋回軸は、電気モータの回転軸に平行な方向以外の方向を向いていてもよい。
【００２７】
本発明の更に別の態様では：
電気モータによって回転するように構成されたブレード支持手段と；
前記ブレード支持手段に固定された複数のファンブレードであって、各ブレードのルート端が、前記ブレード支持手段に固定されたブレード旋回軸を中心に、折り畳んだ位置と作動位置との間で旋回可能である複数のファンブレードと；
を具え、
上方から見たときに、ルート端と先端との間で、各ブレードが、前記ルート端から離れて前記ブレードに沿って距離が遠くなるにつれて幅が広くなり、次いで、先端に幅が狭くなるブレードを有するシーリングファン一体型照明器具が提供される。
【００２８】
本発明のその他の好ましい及び／又は追加の特徴を、以下の詳細な説明に開示する。
【００２９】
好ましい実施例の詳細な説明
図１は、本発明によるシーリングファン一体型照明器具１を示す。シーリングファン一体型照明器具は、本明細書では、便宜上、簡潔にファン／照明と呼ぶ。ファン／照明１は、少なくとも１つの電球３を取り付けるボール型筐体２を有し、公知の方法で管状支持体４によって天井から支持される。また、ファン／照明１は、電気モータ６によって回転するファンブレード１２を有する。電気モータ６及び電球３は、管状支持体４を通って供給される電源から独立して、又は電源と共に操作可能である。公知のタイプのモータ６は、管状支持体を支えるシーリングファンで広く用いられており、このシーリングファンは、中央キャビティを有する回転ケーシング７を有する。管状支持体４の延長部８が、ケーシング７の下側に突出しており、非回転筐体２を支持する。
【００３０】
筐体２は、半透明のボウル型下部９を具え、これは、使用時に、カバァ１０の外周に配置されたクリップ（図示せず）によって上部カバァ１０の下に保持される。下部９は、必要なときに電球を交換できるように、カバァ１０から（クリップを外すことによって）取り外すことができる。下部９と同様に、カバァ１０は平面において円形であり、モータケーシング７の下部をクリアランスで受けている円錐型中央凹部１１を有する。
【００３１】
上部カバァ９０は、ブレード１２の折り畳まれた位置の上方の支持部４上に設けられており、更に外観を改善し、ファン／照明１のメカニズム内に埃が入らないようにしている。
【００３２】
ファン／照明１は、モータ６のスイッチが入ると、各々が外側に開き、モータ６のスイッチが切れると図２に示す位置に引き込まれるブレード１２を具える。ブレード１２は、ブレード１２と共に回転するブレード支持部１３上に旋回可能に支持され、ディスク形状であり、モータ６の回転軸１８と同軸であり、モータケーシング７の周囲フランジ５に固定されている。（モータケーシング７から取り外すと、ブレード支持部１３がこの方法で取付するための中央ホール（図示せず）を有することが分かる。）
【００３３】
ブレード支持部１３上でのブレード１２は、図１及び２で示す実施例において、管状支持部４及びモータ６の軸に平行な軸１４を中心として旋回する。モータ６のスイッチが入ると、ブレード１２は、遠心力によって外側に押され、図１及び５に示す動作位置に達するまで、ブレード１２の各旋回軸１４を中心に旋回する。以下に述べるように、ブレード１２は、旋回軸１４を中心に回転し、モータ６のスイッチを切ると図２及び６に示すように格納位置に引き込まれる。
【００３４】
ブレード１２は、平面から見て三日月刀形状であり、格納した位置では、互いに僅かに重なり合う。また、照明筐体２の周辺に隣接し、照明筐体２の周辺内側に位置する曲線縁１５を有する。格納した位置では、ブレード１２が筐体の上端近くに位置していることが図２から分かる。従って、ファン／照明２は、ファン機能が用いられていない場合（モータがオフ）、下にいる者からブレード１２の大部分が見えないようにする。引き込み時に筐体２の周辺を超えて伸長して部分的に見えない使用中のブレードを止めるものはないが、審美的に好ましい構成は折り畳んだときにブレードが筐体２の周辺内に収まることである。
【００３５】
ブレード支持部１３を中心に円周上に均等に配置されたブレード１２が、広がったときに実質的に同じ位置にあり、ブレードの作動位置と格納位置との間の同期して動くことが、ファン／照明１のバランスにとって重要である。このようにする方法を以下に記載する。太陽歯車は、ブレード支持部１３の下側に固定されている。（ここで、用語「太陽歯車」は、所謂、遊星歯車メカニズムの技術にあるものが用いられており、周囲に配置された多数の「遊星」歯車と噛合する歯車を意味する。）太陽歯車１６は、支持部１３がその上に取り付けられている場合に、モータ６と同軸上にあり、ブレード支持部１３に対して軸の周りを回転する。遊星歯車１７は、太陽歯車１６と噛合し、各遊星歯車１７は、ブレード１２のうちの１本がその旋回軸１４の周りを旋回すると、そのブレードと共に回転する。各歯車１７は、ブレード１２から下方に通る短シャフト３９に固定されており、適宜のスリーブ（図示せず）中のブレード支持部１３内で回転する。軸１４、従って遊星歯車１７は、モータ６の軸１８とブレード支持部１３から等しい半径にある。この配置の効果は、ブレード１２が同一であり、ブレード支持部１３に対してブレードの作動位置において、同一に配置されていれば、ブレードが内側及び外側に動くときに、ブレード１２が常に同期し続けることである。
【００３６】
モータ６のスイッチが切れたときに、ブレード１２を格納するためのコイルバネ１９が設けられている。各バネの一端を、ブレード支持部１３の下面２０から下がっているペグ２２に固定し、他端を太陽歯車１６の下面２１から下がっているペグ２３に固定する。コイルバネ１９は、ブレードが格納位置にあるときに張力がかかるように配置され、モータ６が始動すると、遠心力がブレード１２を外側に押してブレードを広げる。モータ６が停止すると、バネ１９は、太陽歯車を押圧して回転させ、ブレードが引き込まれる。多くのその他の好適な構成及びタイプのバネを用いることができ、このことは、当業者にも自明である。
【００３７】
歯車１６及び１７の大きさによっては、ブレード支持手段１３に対して歯車１６を完全に回転させることは不要である。ブレード１２の少なくとも１本又は太陽歯車１６は、ブレード１２が作動位置を超えて外側に、又は選択された格納位置を超えて内側に動くことを防止する好適なストップを具える。例えば、好適なストップは、ブレード支持手段１３から下がっており、歯車１６のスロット又は複数のスロットで受ける一又はそれ以上のペグを具え、このペグとスロットの一端との間の接触が歯車１６の更なる回転を防止するようにしている。
【００３８】
太陽歯車１６は、一般的に芯無しリングの形状であり、ブレード１３の下面２０の下に回転可能に取り付けられている。図７に示すように、上向の肩部（図示せず）を有する保持環２５は、この肩部と面２０との間に係留されている歯車１６によってブレード支持部１３の面２０に固定されてここから下がっている。環２５は歯車１６を中心に置き、同様に、ブレード支持手段１３に対して、環２５を係留保持する。
【００３９】
上述したブレードの同期配置は、例えば米国特許第２０７９９４２号に示すメカニズムと比較した場合、いくつかの利点を有する。第１に、組み立てがより簡単であり、パーツ点数をより少なくすることができる。第２に、歯車１６及び１７が十分正確に作られて配置されていれば、この機構内でほとんど自由な動きをする必要がない。このことによって、よりスムーズでよりよい同期操作ができる。ここでは、このような材料に本発明の範囲を限定することを意図するものではないが、歯車１６及び１７は、歯車１６及び１７自体が好適なプラスチック（例えば、ナイロンプラスチック）の正確な製造に役立つ。第３に、歯車１６及び１７がブレード支持部１３より下に位置するときに隠れるので、埃が集まる可能性がほとんどない。
【００４０】
ファンを双方向に操作することが要求されない場合、回転の方向は図中の矢印４０によって示す方向が好ましい。この方向は、ブレード１２が広がる際に、空力抵抗が遠心力を補助するという利点を有する。
【００４１】
ブレード１２が作動位置に広がるときに、ブレード１２の先端４１が、モータ軸１８から半径方向外側にできるだけ離れた距離にあり、ブレード１２の回転によって発生したその地点におけるより大きな対気速度をうまく利用することが好ましい。
【００４２】
特に、折り畳んだときに、ブレード１２が筐体２の周辺内に完全に位置する場合、非格納式ブレードを有する従来のシーリングファンと比較すると、空力性能が高い形状のブレード１２を提供することは容易なことではない。更に、このブレードは、最も実用的なデザインにおいては、固定したブレードファンの場合よりも面積が小さく、長さが短い。図には３枚のみのブレード１２が示されているが、３枚以上のブレードを提供することによって、この問題を多少なりとも解決することが可能であり、これは、本発明の範囲内である。例えば、４枚のブレードを用いることができる。上記の同期メカニズムは、多数のブレードを容易に同期させるのに役立つ。
【００４３】
ブレード１２を設計する際に多くのアプローチを行って、空気移動性能を強化し、及び／又は、ファン／照明１のエネルギィ効率を改善することができる。これらのアプローチには：
（ａ）水平に対する入射角をブレードに与えることと；
（ｂ）ブレード１２をねじって、ブレードの長さに沿って入射角を変化させることと；
（ｃ）ブレード１２の上反り断面を選択することと；
（ｄ）「上反角」の形状を提供するして、ブレード１２が広がった位置にある場合に、ブレード先端がブレードルートから異なる高さにあることと；
（ｅ）平面図から見た空力及びこれらの分散を促進する形状及び／又は大きさのブレードを提供することと；
を具える。
【００４４】
引き込み位置にあるときにブレードを少なくとも部分的に隠す必要によってこれらのアプローチを続けることができる方法と度合が制限される。より畳んだ位置にあるブレード１２をブレード支持部１３の近くにおいて、ブレードのコンシールの最良レベルを与えるようにすることが珍しい。
【００４５】
単純な平面や平面プレートからできていないブレードを用いることが好ましいが、本発明の範囲からこのようなブレードを除外することは意図していない。ブレードは、例えば、好適なプラスチックの成型によって作ることができ、良好な空力性能が望まれる比較的複雑な（例えば上反り）形状を可能にする。
【００４６】
ファン／照明１のブレード１２は、水平に対する入射及び上反りを有する断面（一点鎖線５０によって図２に示す）を有する形状である。この入射はブレード１２の半径が小さい方のエッジが大きい方のエッジよりも高い。これは、ブレード１２を小さく折り畳むのにも有利であることが分かる。ライン５０によって示す上反りは、ブレードが下方に凹んでおり、回転の方向が矢印４０によって示す方向である場合に好ましい。
【００４７】
本質的なことではないが、ブレード１２の入射角は、ブレードの長さに沿って様々であってよい。水平に対するブレード１２の入射角は、先端部でより小さくすることができる。また、この特徴も本質的なものではないが、エネルギィ効率が有利であり、ブレードを折り畳んだ位置で、１本のブレードの先端が隣接するブレードのルートと重なるデザインとなる。
【００４８】
米国特許第２０７９９４２号では、Ｌｅ  Ｖｅｌｌｅは、ブレードが回転する軸を後方に傾ける着想を開示しており、ブレードを折り畳んだ位置で、ブレードが重なるようにしている。このアプローチも、水平に対する入射角に各ブレードを取り付ける効果を有し、事実、このようにしない場合、単純な平面プレートのブレードの使用によって、空気の垂直方向への移動がほとんど又は全くないであろう。
【００４９】
本発明のファン／照明１では、ブレード１２の旋回軸１４は、モータ６の軸１８に平行にすることができ、ブレードは、水平に対して上反り及び／又は固定入射角によって空気を移動させるように構成されている。これは、図１乃至７に示すファン／照明１の場合である。図５では、軸１４は、この理由のために点で表す。しかし、これは、作動中に水平に対する入射角のブレード１２に沿って所望の分布を得るために、前方又は後方に傾斜しているブレード旋回軸１４を除外するものではない。太陽歯車１６及び遊星歯車１７は、歯車の分野でよく知られている手段によって非平行軸の回転で動作するように構成されている。（前方又は後方への傾斜のために、歯車１６及び１７に斜歯を用いる。）図５では、点線１４ａを加えて、旋回軸１４の後方への傾斜によって、ここで意味するものを示す。ライン１４ａは、入射角を大きくするのに一般的に必要であるように、後方に傾斜したときに見えるブレード自体の上のブレード旋回軸１４の一部を示す。これは、回転方向が矢印４０で示す方向であることとする。
【００５０】
また、驚くべきことに、単独で、又は前方又は後方に傾斜させることと組み合わせて、放射状の平面において選択的に軸１４に傾斜させることによって利点が得られることが分かった。図５では、ライン１４ｂを付け加えて、旋回軸１４を内側に傾斜させることが意味するものを示す。放射状に配置されたライン１４ｂは、内側に傾斜している場合のように、ブレード自体の上のブレード旋回軸１４の一部を示す。（このような傾き自体は、歯車１６及び１７をかさ歯車にすることによって提供できる。）固定ブレードシーリングファンに関する米国特許第６７１９５３３号では、ここではブレード先端がブレードルート端よりも上部にあることを意味するブレードの「上反角」が、ファンより下の領域で空気の移動をよりよく分配することができる（ファンの直下の領域への空気の移動を集中させる傾向にあるより特徴的な減少）。軸１４が軸１８に平行である場合に、このような上反角を有するブレードは、ブレードの折り畳まれた位置で、ブレード支持部１３の近くに小さく配置されていない（後者が平面の場合）。しかしながら、僅かに内側に傾斜している軸１４の周りを回転することが可能な場合、ブレード１２等のブレードは、折り畳んだときに、及び上記のタイプの上反角を示すために広げたときに平坦なブレード支持部１３近くに配置される。これは、図８の概略図に示されており、明確にするために１枚のみのブレードが示されているが、図８は、平面図（ａ）及び正面図（ｂ）で、ファン／照明１と比較したファン／照明３１を示す。ブレード３３は、それぞれの折り畳んだ位置の３３ａ、広げた位置の３３ｂと符号を付けて示す。ファン／照明３１は、ファンモータ軸３２を有し、ブレード３３は、僅かに内側に傾斜した軸３４を中心に旋回する。ブレード３３は三日月刀形状であり、折り畳んだときに円形電球筐体３５の周辺に位置する。ブレード３３は平面プレートであり、図８（ｂ）の符号３３ａで端を外に向けて示されている。この折り畳んだ状態では、ブレード３３は、筐体３５の上縁の水平平面３６に平行である。しかしながら、作動位置においてブレード３３が広がっている（図に示す特定の例の軸３４を中心に１４０度回転することによって）ときに、ブレード３３は上反角を有し、ブレードの先端３７がブレードのルート端３８よりも高いことが分かる。図８（ｂ）の正面図に示すように、ブレード３３の水平に対する角度が、ルート端３８から先端３７に向かって徐々に大きくなる。更に、回転方向が矢印３９によって示す方向であると仮定すると、ブレード３３の前縁４５は、後縁４６よりも高いことが分かる。即ち、ブレード３３は、折り畳んだ場合は平らで水平な平面であってよいが、水平に対して正の入射角及び上反角の双方を有する。
【００５１】
実際には、折り畳まれた位置で、ブレード３３等の平面ブレードから可能である空気移動効果より大きな空気の移動効果がある場合でも、上反りを有し、水平に対して正の入射角を有するブレード形状を用いることが好ましい。しかしながら、図８に示す平面プレートの例は、ブレード旋回軸３４を内側に傾斜させることによって、旋回軸３４が垂直である場合より、ブレードをより小さく折り畳める設計にすることができることを示している。
【００５２】
旋回軸の後方／前方のいずれか又は双方への及び放射状の傾斜は、所定のブレード形状に好適であることが分かり、実際は、折り畳まれているときでも、水平方向に入射する上反り及びブレードのねじれが、旋回軸のこのような傾斜に加わる。
【００５３】
図９は図８（ａ）に類似しており、空気の移動を促進するための更に別の選択枝を示す。図９は、簡単にするために（実際には多重ブレードが用いられるであろうが）、ファン／照明３１に類似したファン／照明６１上の１本のブレード６０のみを示す。ブレード６０（引き込み位置６０ａ、広げた位置６０ｂで示す）は、ブレード３３の符号４５及び４６等のブレード３３の符号４５及び４６等の実質的に平行でアーチ型の前縁及び後縁を有さない。代わりに、折り畳んだときに支持部６３のより近くに位置する縁６２が、折り畳んだときに支持部６３の近くに来て、ブレード６０の領域が平面で他の類似のブレード３３の領域よりも大きくなる。ルート端６４と先端６５との間のブレード６３の幅は、先ず最大値まで増加し、その後、曲線状の先端６５まで減少する。モータケーシング（図示せず）が配置される（例えば電球筐体６６内に）場合に、平面形状のこのタイプを用いて、例えばファン／照明１の場合よりも筐体６６上で折り畳んだときのブレードにより大きな空間を提供する。（この場合では、ケーシング７は、ブレード１２の可能な平面形状及び面積を限定する。）勿論、ブレード６０等のブレードに、上反角及び水平に対する入射角を設けることができ、また、上記のもう一方のブレードと同様に、ファン軸に平行でない旋回軸を有する。
【００５４】
本発明の精神又は範囲を超えることなく、上記の実施例に対して多くの変形をすることができることは、当業者には自明である。
【００５５】
添付の特許請求の範囲を含む本明細書では、整数、要素、又はステップのセットに関連して用いられる場合、用語「具える（ｃｏｍｐｒｉｓｅ）」（及び、「具える（ｃｏｍｐｒｉｓｉｎｇ）」、「具える（ｃｏｍｐｒｉｓｅｓ）」、及び「具えられる（ｃｏｍｐｒｉｓｅｄ）」等の派生語）は、その他の整数、要素、又はステップが存在し、又は含めることができる可能性を除去することができないので軽々しく扱うことができない。
【００５６】
筐体２の半透明の下部９の特定の形状は、決して唯一可能な形状ではない。図１乃至図７に示すように、平面の円形状ではない形状でも、代替の美的選択として用いられることができる。
【図面の簡単な説明】
【００５７】
本発明をよりよく理解するために、添付の図面に示す本発明の非限定的な好ましい実施例が記載されている。
【００５８】
【図１】図１は、作動位置でブレードを折り畳んでいる本発明によるシーリングファン一体型照明器具の斜視図である。
【図２】図２は、格納位置でのブレードを折り畳んだ図１に示すシーリングファン一体型照明器具の斜視図である。
【図３】図３は、部分的に切り取った図１に示すシーリングファン一体型照明器具の斜視図である。
【図４】図４は、部分的に切り取った図１に示すシーリングファン一体型照明器具の更なる斜視図である。
【図５】図５は、作動位置でのブレードを折り畳んだ図１に示すシーリングファン一体型照明器具の平面図である。
【図６】図６は、格納位置でのブレードを折り畳んだ図２に示すシーリングファン一体型照明器具の平面図である。
【図７】図７は、ブレードが作動位置にある図２に示すシーリングファン一体型照明器具のブレード及びブレード支持手段の斜視図である。
【図８】図８は、本発明によるシーリングファン一体型照明器具の更なる実施例の（ａ）部分概略平面図、及び（ｂ）部分概略側面図である。
【図９】図９は、本発明によるシーリングファン一体型照明器具の更なる実施例の部分概略平面図を示す。
【図１】
2009500809.tif 000003
【図２】
2009500809.tif 000004
【図３】
2009500809.tif 000005
【図４】
2009500809.tif 000006
【図５】
2009500809.tif 000007
【図６】
2009500809.tif 000008
【図７】
2009500809.tif 000009
【図８】
2009500809.tif 000010
【図９】
2009500809.tif 000011
【国際調査報告】
2009500809.tif 000012
2009500809.tif 000013
2009500809.tif 000014